(57)【要約】本発明のシステムは、標準化されたフォームファクターと標準化されたコネクタとを備えたモデムユニットを含む。前記モデムユニットについては、電話シェル２２と、携帯情報端末２４と、他のデータユニットとに接続することができる。電話シェルに接続される場合に、モデムユニットは、音声データを送信する。携帯情報端末または他のデータユニットに接続される場合に、モデムユニットは、データを送信する。音声およびデータの両方のために使用可能であるモデムユニットを有することにより、有線コネクタを必要とせずに、１つのセルラー送受信器を音声およびデータの両方のために用いることができる。さらに、標準化されたフォームファクターおよびコネクタは、第２タイプのセルラー接続を有する第２モデムユニットを、第１モデムユニットの代わりに用いることを可能にする。他のタイプのセルラー接続は、異なる通信標準であり得る。
2005500788.tif 000002
【特許請求の範囲】
【請求項１】
所定のフォームファクターを有するモデムユニットと、
モデムユニットに接続可能であり、スピーカーとマイクロフォンとを含む電話シェルユニットと
を具備し、
前記モデムユニットは、標準化された接続部を有し、かつ、セルラーネットワークへの接続を提供するように適合され、
前記電話シェルユニットは、標準化されたコネクタを用いて、電話シェルに接続可能であり、
前記電話シェルユニットは、セルラー送受信器を持たないが、モデムユニット内のセルラー送受信器を用いるように適合され、
前記モデムユニットは、電話シェルから取り外し可能であり、かつ、データ転送のための他のユニットに接続されるように適合されることを特徴とするシステム。
【請求項２】
前記他のユニットは、携帯情報端末であることを特徴とする請求項１に記載のシステム。
【請求項３】
前記他のユニットは、パーソナルコンピュータであることを特徴とする請求項１に記載のシステム。
【請求項４】
前記電話シェルユニットは、第２タイプのセルラー接続を提供するための第２タイプのモデムユニットに接続可能であることを特徴とする請求項１に記載のシステム。
【請求項５】
前記モデムユニットは、データ制御状態回線を含むことを特徴とする請求項１に記載のシステム。
【請求項６】
前記モデムユニットは、マイクロフォンポートと、スピーカーポートとを含むことを特徴とする請求項１に記載のシステム。
【請求項７】
前記電話シェルは、キーパッドと、表示装置とを含むことを特徴とする請求項１に記載のシステム。
【請求項８】
前記モデムユニットは、標準化されたデータおよび音声接続部をコネクタ内に有することを特徴とする請求項１に記載のシステム。
【請求項９】
所定のフォームファクターを有する第１タイプのモデムユニットと、
モデムユニットに接続可能であり、スピーカーとマイクロフォンとを含む電話シェルユニットと
を具備し、
前記モデムユニットは、標準化されたコネクタを有し、かつ、セルラーネットワークへの第１タイプの接続を提供するように適合され、
前記電話シェルユニットは、標準化されたコネクタを用いて、電話シェルに接続可能であり、
前記電話シェルユニットは、セルラー送受信器を持たないが、モデムユニット内のセルラー送受信器を用いるように適合され、
前記モデムユニットは、電話シェルから取り外し可能であり、かつ、前記電話シェルユニットは、第２タイプのセルラー接続を提供するための第２タイプのモデムユニットに接続可能であることを特徴とするシステム。
【請求項１０】
前記モデムユニットは、データ転送のための他のユニットに接続されるように適合されることを特徴とする請求項９に記載のシステム。
【請求項１１】
前記他のユニットは、携帯情報端末であることを特徴とする請求項１０に記載のシステム。
【請求項１２】
前記他のユニットは、パーソナルコンピュータであることを特徴とする請求項１０に記載のシステム。
【請求項１３】
前記第１タイプのセルラー接続は米国標準セルラー接続であり、前記第２タイプのセルラー接続は欧州標準セルラー接続であることを特徴とする請求項９に記載のシステム。
【請求項１４】
前記第１タイプのセルラー接続は、ＣＤＭＡセルラー接続であることを特徴とする請求項９に記載のシステム。
【請求項１５】
前記電話シェルは、キーパッドと、表示装置とを含むことを特徴とする請求項９に記載のシステム。
【請求項１６】
前記コネクタは、音声およびデータのための標準化されたコネクタを有することを特徴とする請求項９に記載のシステム。
【発明の詳細な説明】
【背景技術】
【０００１】
多くのシステムは、通信のためにセルラーネットワークを用いている。これらは、セルラー電話と、携帯情報端末（ＰＤＡ）と、セルラーモデムを用いる携帯用コンピュータとを含む。現在、セルラー送受信器は、比較的高価な傾向がある。セルラー送受信器とのデータ通信のためのＰＤＡユニットを有する人物は、音声送信のために独自のセルラー送受信器を備えたセル電話をさらに有し得る。このことは、ユーザーが２つの送受信器ユニットを買う必要があるので、不必要に費用がかかることになり得る。
【０００２】
このことを回避しようとする１つの方法は、データを送信するために、セル電話をＰＤＡまたはパーソナルコンピュータに相互接続するためのケーブルを用いることである。このようなシステムは稼働するが、セル電話とデータ装置との間の有線アダプターのために非常に嵩張りかつ扱いにくい傾向がある。
【発明の開示】
【発明が解決しようとする課題】
【０００３】
音声ユニットとデータユニットとの間においてセルラー送受信器を共有する新たな方法を有することが望ましい。
【課題を解決するための手段】
【０００４】
本発明は、音声ユニットおよびデータユニットの両方とともに用いるための標準化されたコネクタ（standardized connector）を有する一貫的なフォームファクター（consistent form factor）のモデムタイプを用いる。モデムユニットは、電話シェルユニット（phone shell unit）に接続可能である。電話シェルユニットは、スピーカーと、マイクロフォンと、標準化されたコネクタとを含む。電話シェルユニットは、セルラー送受信器を持たないが、セルラー送受信器を備えたモデムユニットに接続されるように適合される。モデムユニットは、電話シェルから取り外し可能であり、かつ、データ転送のための他のユニットに接続されるように適合される。前記他のユニットは、携帯情報端末（ＰＤＡ）、パーソナルコンピュータ、または、他の任意のデータ送信ユニットであり得る。
【０００５】
本発明の他の実施例によれば、電話シェルユニットおよび他のユニットは、セルラーネットワークへの様々なタイプの接続を生じさせることが可能な多数のタイプのモデムユニットに接続可能である。従って、一実施例において、第１タイプのモデムユニットは、米国標準の符号分割多元接続（ＣＤＭＡ）送信のために用いられ、かつ、他のタイプのモデムユニットは、前記第２タイプのセルラー接続は、欧州標準または時分割多元接続（ＴＤＭＡ）送信のために用いられる。モデムユニットは、所定の標準化されたフォームファクターを有し、かつ、該モデムユニットを標準化された様式で電話シェルまたは他のユニットに接続することを可能にする標準化されたコネクタを有する。
【発明を実施するための最良の形態】
【０００６】
図１は、標準化されたフォームファクターと標準化されたコネクタとを有するモデムユニット２０を示す。モデムユニット２０は、電話シェル２２のような音声装置と、ＰＤＡ２４およびラップトップ２６のようなデータ装置とを含む多数の様々な装置に接続可能である。モデムユニット２０については、潜在的に、他の特定されていない電子装置２８にも接続することができる。
【０００７】
こうして、ユーザーがセルラーネットワークの全域で電話接続を行うことを希望する場合に、モデムユニット２０を電話シェルに接続することができる。代わりに、ユーザーがＰＤＡまたはラップトップからデータを送信することを希望する場合には、モデムユニット２０を、電話シェル２２から取り外すことができ、かつ、必要に応じて、ＰＤＡ２４またはラップトップ２６に挿入することができる。従って、セルラー送受信器を備えたモデムユニット２０を１つだけ用いればよい。モデムユニット２０のための標準化されたフォームファクターおよび標準化されたコネクタを有することにより、データを送信するために、無線アダプターは不要である。ネットワークの信用証明（credentials）（電話番号、請求書情報など）は、モデムモジュールに従う。従って、１つの預金口座を多数の用途のために用いることができる。
【０００８】
図２Ａ〜図２Ｃは、本発明のシステムの例を示す。図２Ａは電話シェル３２に接続されたモデムユニット３０を示す。前記モデムユニットはコネクタ３０ａを有し、該コネクタ３０ａは、電話シェル３２の符合コネクタ３２ａに接続される。標準化されたコネクタ３０ａ，３２ａは、データ制御状態のための接続部と、データおよび音声の両方のタイプの通信を可能にするマイクロフォンポートおよびスピーカーポートとを含む。電話シェル３２は、キーパッド３６および表示装置３８を考慮に入れるインターフェース３４を含むことが好ましい。マイクロフォンユニット４０およびスピーカーユニット４２は、モデムユニットのマイクロフォンポートおよびスピーカーポートにそれぞれ接続される。こうして、電話シェル３２を、安価な部品によって非常に安価に構成することができる。モデムユニット３０は、高価なセルラー送受信器素子を含む。
【０００９】
図２Ｂは、電話シェル３２から取り外され、かつ、携帯情報端末４４内に配置されたモデムユニット３０を示す。携帯情報端末４４は、プロセッサ４６と、インターフェース４８と、キーパッド５０と、メモリ５２と、表示装置５４とを含む。データは、モデムユニットによるデータ送信を考慮に入れるデータ制御状態回線上で、モデムユニットへ送信される。モデムユニット３０のコネクタ３０ａは、携帯情報端末システムの符合コネクタ４４ａに接続される。電話シェルおよびデータユニット（例えば、携帯情報端末）の両方のための標準化されたコネクタを有することにより、本発明のシステムは高い柔軟性を得る。
【００１０】
図２Ｃは、電話シェル３２が他のモデムユニット５０に接続される場合を示す。このモデムユニット５０は、モデムユニット３０とは異なる通信標準を用いる。モデムユニット５０のコネクタ５０ａが電話シェル３２上の符号コネクタ３２ａに接続されることに留意されたい。こうして、標準化されたフォームファクターおよびコネクタがモデムユニットとデータおよび音声ユニットとのために用いられるので、異なるモデムユニットを電話シェルのために用いることができる。こうして、米国において用いられる通信間切り換え（switch between communication）標準および欧州において用いられる通信標準のような様々な通信標準のために、電話シェル３２を迅速に切り換えることができる。様々な通信規格の例は、セルラー符号分割多元接続（ＣＤＭＡ）、時分割多元接続（ＴＤＭＡ）などを含む。
【００１１】
図３は、本発明の一実施例におけるモデムユニット６０の例を示す。モデムユニット６０は、セルラー無線送受信器６２を含む。モデムユニット６０は、アンテナ６４と、ディジタル信号処理装置（ＤＳＰ）６６と、Ａ／Ｄ変換器６８と、Ｄ／Ａ変換器７０とをさらに含む。モデムユニット６０は、メモリ７２をさらに含み得る。制御データ状態回線のための制御装置７４もまた示される。
【００１２】
図４Ａは、セル電話インターフェースの例を示すブロック図である。図４Ｂは、ラップトップインターフェースのブロック図である。これらのブロック図は、例示的なものとして意図されており、網羅的なものとしては意図されていない。好ましい実施例において、左側への接続は用途に特化したものであり、かつ、右側への接続はモデム内部のものであり、かつ、用途から用途へ、および、ネットワークからネットワークへ首尾一貫したものである。
【００１３】
好ましい実施例において、モデムへの多数の入力は、該モデムのための用途を識別するために、論理ハイまたはロー状態にされるように意図される。モデムの電源がオンにされると、該モデムは、これらのビットをポーリングして、自身がセル電話、ＰＤＡ、ラップトップ、移動装置、または、他の何かにプラグで接続されているか否かを知る。例えば、セル電話の用途において、モデムは、マスター制御装置であり、かつ、全ての周辺機器を制御する必要がある。対照的に、ラップトップの用途において、モデムは、ラップトップのプロセッサ（ホスト）に対するスレーブであり、かつ、単にホストのコマンドに応答する。
【００１４】
本発明については、その真意および特徴から逸脱することなく、他の特定の形式においても実施できることが、当業者により理解されるだろう。例えば、独立したセル電話の他に、自動車に搭載した移動電話の用途を用いることもできる。従って、ここに開示されている実施例は、あらゆる点で、例示的なものであり、かつ、制約的なものではないと考えられる。本発明の範囲は、前述の説明によってではなく、添付の請求項により示され、かつ、本発明の均等なものの意味および範囲内に収まる全ての変更は、本明細書内に包含されるように意図される。
【図面の簡単な説明】
【００１５】
【図１】多数の様々な他の素子に接続可能なモデムユニットを示す図である。
【図２Ａ】モデムユニットに接続された電話シェルを示す図である。
【図２Ｂ】モデムユニットに接続された携帯情報端末を示す図である。
【図２Ｃ】他の形式のモデムユニットに接続された電話シェルユニットを示す図である。
【図３】本発明のシステムとともに用いるためのモデムユニットの一例を示す図である。
【図４Ａ】本発明の一実施例のためのインターフェースの例を示すブロック図である。
【図４Ｂ】図４Ａと同様の図である。
【符号の説明】
【００１６】
２０，３０  モデムユニット
２２，３２  電話シェル
２４  ＰＤＡ
２６  ラップトップ
２８  電子装置
３０ａ，３２ａ  コネクタ
３４  インターフェース
３６  キーパッド
３８  表示装置
４０  マイクロフォンユニット
４２  スピーカーユニット
【図１】
2005500788.tif 000003
【図２Ａ】
2005500788.tif 000004
【図２Ｂ】
2005500788.tif 000005
【図２Ｃ】
2005500788.tif 000006
【図３】
2005500788.tif 000007
【図４Ａ】
2005500788.tif 000008
【図４Ｂ】
2005500788.tif 000009
【国際公開パンフレット】
2005500788.tif 000010
2005500788.tif 000011
2005500788.tif 000012
2005500788.tif 000013
2005500788.tif 000014
2005500788.tif 000015
2005500788.tif 000016
2005500788.tif 000017
2005500788.tif 000018
2005500788.tif 000019
2005500788.tif 000020
2005500788.tif 000021
2005500788.tif 000022
【国際調査報告】
2005500788.tif 000023
2005500788.tif 000024
2005500788.tif 000025